【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
ハンドヘルド型の電子ピペット（１０）であって、
ユーザの手で保持するのに適合した細長の本体（１６、１７）と、
ユーザにより作動される前記本体（１６）の前面に配されたタッチパッド制御（３０）と、
ユーザにより作動される前記ピペット（１０）に配された実行ボタン（１８）と、
前記タッチパッド制御（３０）の上部で、前記ピペット（１０）の前面に配されるユーザインターフェースディスプレイ（３２）と、
マイクロプロセッサと、
メニューで操作するソフトウェアを備え、該ソフトウェアは、ユーザインターフェースディスプレイ（３２）に表示される情報を制御するとともに、前記ピペット（１０）を作動するためにマイクロプロセッサをプログラムし、
前記タッチパッド制御（３０）が、円形タッチパッド（４６）を備え、そこで親指又は指の回転運動がディスプレイ（３２）上に表示された情報を制御することを特徴とする、ハンドヘルド型の電子ピペット。
【請求項２】
前記円形タッチパッド（４６）上の親指又は指の前記回転運動が前記ユーザインターフェースディスプレイ（３２）上で上下のカーソルの運動に変換し、及び前記円形タッチパッドの中央にエンターボタン（４８）が位置づけられることを特徴とする請求項１記載のハンドヘルド型の電子ピペット。
【請求項３】
前記円形タッチパッド（４６）が４つのセレクタ部位、すなわち前記円形タッチパッド（４６）の上部に位置づけられる戻るボタン（５０）、前記円形タッチパッド（４６）の底部に位置づけられる除去ボタン（５６）及び前記円形タッチパッド（４６）の左右に位置づけられる左右ナビゲーションボタン（５２、５４）それぞれを含むことを特徴とする請求項２記載のハンドヘルド型の電子ピペット。
【請求項４】
容積選択が前記ユーザインターフェースディスプレイ上でグラフ表示され、及び前記ソフトウェアがグラフ表示された前記容積選択を前記ソフトウェアがグラフのゲージ（１１２）を用いて前記グラフ表示された容積選択を制御し、前記グラフの表示は前記ピペット（１０）の最小値から最大値まで及ぶ前記容積選択で得られる容積を表示し、及び前記ユーザは前記タッチパッド制御（３０、４６）を用いて所望の容積にスクロールすることを特徴とする請求項１記載のハンドヘルド型の電子ピペット。
【請求項５】
前記ユーザインターフェースディスプレイ（３２）は図形のポインタ（１１６）を介して前記容積選択の値にスクロールされた状態を示す請求４記載のハンドヘルド型の電子ピペット。
【請求項６】
前記タッチパッド制御（３０）が円形タッチパッド（４６）を含み、前記円形タッチパッド（４６）がユーザが前記円形タッチパッド（４６）の回りを時計方向又は反時計方向のいずれかに回転させて所望の容積を選択することを許し、及び前記ピペット（１０）は、さらに粗設定（１１８）と微設定（１２０）を備え、ユーザが前記微設定（１２０）より粗設定（１１８）を用いて、少ない回転で容積選択のために利用できる全範囲を操作し得ることを特徴とする請求項１記載のハンドヘルド型電子ピペット。
【請求項７】
前記容積選択の全範囲が前記粗設定（１１８）の下で、３．５回転未満で到達できることを特徴とする請求項６記載のハンドヘルド型電子ピペット。
【請求項８】
相対ピペット速度に対して利用できる前記利用できる選択が前記ユーザインターフェースディスプレイ（３２）上でグラフ表示され、及び前記ソフトウェアがグラフのゲージ（１０２）を用いてグラフ表示されたピペット速度を制御し、前記グラフのゲージ（１０２）が最小値から最大値まで及ぶ利用可能な相対ピペット速度選択を表示し、ユーザはタッチパッド制御（３０）を用いて所望の相対ピペット速度までスクロールすることを特徴とする請求項１記載のハンドヘルド型電子ピペット。
【請求項９】
所与の手順に対する連続吸引工程又は連続投与工程の所望の全カウント値は前記ユーザインターフェースディスプレイ（３２）上にグラフ表示され、及び前記ソフトウェアがグラフのゲージ（１５７）を用いて所望のカウント値の少なくとも一部のグラフ表示を制御し、前記グラフのゲージ（１５７）からユーザは前記タッチパッド制御（３０）を用いて所望のカウント値を選択し、前記グラフのゲージの部位に対応する所望のカウント値がアルファベットや数値の文字で示されることを特徴とする請求項１記載のハンドヘルド型電子ピペット。
【請求項１０】
前記ソフトウェアがペース選択を含み、前記ペース選択が、前記実行ボタン（１８）が駆動されるとき、繰り返される投与間の時間分を設定し、前記ペース選択は少なくとも次の設定、すなわち、無、遅、中、及び速を含み、前記設定が前記ユーザインターフェースディスプレイ（３２）上においてグラフで表示され、前記タッチパッド制御（３０）を介してユーザによって選択又は編集され得ることを特徴とする請求項１記載ハンドヘルド型の電子ピペット。
【請求項１１】
選択されたピペットモード（７２、７４、７６、７８、８０、８２、８４、８６、９０）又はカスタムモード（９２）がディスプレイ（３２）上に示され、同時に処理が実行し、それによって第１ステップが完了後、最後のステップが開始される前に、処理の少なくとも３つのステップが表示され、表示されたステップが、以前完了したステップ、現在のステップ及び次のステップであることを特徴とする請求項１記載のハンドヘルド型電子ピペット。
【請求項１２】
各ピペットモードに対するソフトウェアが編集画面（９７、１１０、１３６、１８４）を含み、前記編集画面（９７、１１０、１３６、１８４）は、ユーザが選択されたピペットモードに関連する変数を編集することを許し、前記編集画面（９７、１１０、１３６、１８４）は実行画面（９６、１３４、１６６、１９４）を含み、前記実行画面（９６、１３４、１６６、１９４）は前記カスタムモードを介してステップ毎にユーザに指示し、前記編集画面（９７、１１０、１３６、１８４）はヘルプスクリーン（９５）を含み、前記ヘルプスクリーン（９５）は、選択されたプログラムをいかにして実行するかについて説明するためにユーザにアクセスを提供することを特徴とする請求項１１記載のハンドヘルド型電子ピペット。
【請求項１３】
前記編集画面（９７、１１０、１３６、１８４）のおのおのは同じ主要な背景色を有し、前記実行画面（９６、１３４、１６６、１９４）のおのおのも同じ主要な背景色を有し、前記実行画面（９６、１３４、１６６、１９４）の背景色は前記編集画面（９７、１１０、１３６、１８４）の背景色と異なり、前記ヘルプスクリーン（９５）も主要な背景色を有し、前記ヘルプスクリーン（９５）の背景色は前記実行画面（９６、１３４、１６６、１９４）の背景色及びは前記編集画面（９７、１１０、１３６、１８４）の背景色と異なることを特徴とする請求項１２記載のハンドヘルド型電子ピペット。
【請求項１４】
前記ソフトウェア（６０）は所定のアルゴリズム（７２、７４、７６、７８、８０、８２、８４、８６、８８、９０）に基づく少なくとも１つのプログラム可能なピペットモードを提供し、さらに編集可能なカスタムモード（９２）を生成することができることを特徴とするハンドヘルド型電子ピペット。
【請求項１５】
前記ソフトウェアがエラーチェック動作を含み、前記エラーチェック動作は、プログラム関数が所定の容積制限を超える場合にエラーメッセージを表示し、ユーザが不正なプログラムを保存することを許さないが、エラーチェック機能がプログラムされた機能が正常であると判断した場合に表示されたエラーメッセージを保存プロンプトに変更することを特徴とする請求項１記載のハンドヘルド型電子ピペット。